(57)【特許請求の範囲】
【請求項１】
対物レンズを保持するレンズホルダおよび該レンズホルダをホルダ支軸で支持するホルダ支持部材を備え、該ホルダ支持部材上で前記レンズホルダを前記対物レンズのフォーカシングエラー補正方向およびトラッキングエラー補正方向に磁気駆動する対物レンズ駆動装置と、前記ホルダ支持部材を支持するフレームと、該フレーム上で前記対物レンズの光軸位置を調整するための光軸調整機構とを有する光ピックアップ装置において、
前記光軸調整機構は、前記フレームと前記ホルダ支持部材とを点接触させて該ホルダ支持部材を前記フレーム上で揺動可能とする支点と、該支点を中心に異なる２方向に前記ホルダ支持部材をそれぞれ揺動させて前記対物レンズの傾角を前記２方向の各々について調整するための２つの傾角調整部材と、
交点を構成するように前記ホルダ支持部材と前記フレームとを点接触させたまま該フレーム上で前記ホルダ支持部材をスライドさせるスライド機構を有しており、
前記支点は、前記フレームの側から前記ホルダ支軸の軸線と平行な方向で前記ホルダ支持部材に向く板状部分の先端縁に形成された第１の凹部と、前記ホルダ支持部材の側から前記ホルダ支軸の軸線と平行な方向で前記フレームに向く板状部分の先端縁に対し、前記第１の凹部に嵌まるように形成された第２の凹部とから構成され、
前記スライド機構は、前記第２の凹部および前記第１の凹部のうちの少なくとも一方の凹部が平坦な底部を備えていることにより前記フレーム上で前記ホルダ支持部材が前記底部に沿って前記光軸と直交する方向にスライド可能に構成されていることを特徴とする光ピックアップ装置。
【請求項２】
請求項１において、前記スライド機構は、前記第２の凹部および前記第１の凹部の双方の凹部が平坦な前記底部を備えていることにより前記フレーム上で前記ホルダ支持部材が前記光軸と直交する２方向にスライド可能に構成されていることを特徴とする光ピックアップ装置。
【請求項３】
請求項１または２において、前記２つの傾角調整部材は、前記支点から異なる方向に位置する２箇所の各々に配置されて各配置位置における前記フレームと前記ホルダ支持部材との間隔をそれぞれ調整する第１の傾角調整用ビスおよび第２の傾角調整用ビスを備えていることを特徴とする光ピックアップ装置。
【請求項４】
請求項３において、前記第１の傾角調整用ビスおよび第２の傾角調整用ビスは、前記支点を中心に９０°の角度を成す方向に配置されていることを特徴とする光ピックアップ装置。
【請求項５】
請求項１ないし４のいずれかにおいて、前記支点は、前記対物レンズの主点と同じ高さ位置に構成されていることを特徴とする光ピックアップ装置。
【請求項６】
請求項１ないし５のいずれかにおいて、前記支点は、前記対物レンズの近傍に構成されていることを特徴とする光ピックアップ装置。
【発明の詳細な説明】
【０００１】
【発明の属する技術分野】
本発明は、ＣＤやＤＶＤなどの光記録ディスクの記録、再生に用いられる光ピックアップ装置に関するものである。さらに詳しくは、光ピックアップ装置に搭載された対物レンズの光軸位置を調整するための構造に関するものである。
【０００２】
【従来の技術】
ＣＤやＤＶＤなどの光記録ディスクの記録、再生に用いられる光ピックアップ装置としては、対物レンズを保持するレンズホルダをホルダ支持部材上で対物レンズのフォーカシングエラー補正方向およびトラッキングエラー補正方向に駆動する対物レンズ駆動装置が、レーザ光源などとともにフレーム上に搭載されたものがある。この種の光ピックアップ装置では、対物レンズの光軸の傾角を調整するために、ホルダ支持部材とフレームとの間に光軸調整機構を構成しておくことが多い。
【０００３】
この光軸調整機構として、実願平５−３６７８８号公報に開示されているものでは、ホルダ支持部材がフレームに接する裏面に球曲面状の座（以下、球座という。）を取り付け、この球座をフレームの凹部内で滑らせるようにして、対物レンズ駆動装置をフレームに対して揺動可能にしてある。また、球座からずれた位置には、ホルダ支持部材をフレームに押し付けるばねと、このばねに対して球座を挟んだ反対側の位置でホルダ支持部材とフレームとを止める２つの傾角調整用ビスとが構成され、これらの傾角調整用ビスを回せばフレーム上におけるホルダ支持部材の傾角、すなわち、対物レンズの傾角を変えることができる。一般に、一方の傾角調整用ビスは球座の中心から光記録ディスクのラジアル方向にずれた位置に取り付けられ、他方の傾角調整用ビスは球座の中心から光記録ディスクのトラック接線方向（タンジェンシャル方向）にずれた位置に取り付けられているので、対物レンズの光軸は、一方の傾角調整用ビスを回すことによりラジアル方向に角度変化し、他方の傾角調整用ビスを回すことによりトラック接線方向に角度変化する。
【０００４】
【発明が解決しようとする課題】
しかしながら、この構成の光ピックアップ装置には、次のような問題点がある。まず、ホルダ支持部材の底面に球座が取り付けられているため、ホルダ支持部材を薄型化できず、光ピックアップ装置が厚くなってしまう。また、球座とフレームとが面接触しているため、これらの間にごみなどが入ると、引っ掛かりや浮きが発生し、微妙な傾角調整が困難である。さらに、球座を利用すると、その支点となるべき位置が特定されないため、ラジアル方向の傾角調整をする際に同時にタンジェンシャル方向にも傾きが変わってしまうなど、ラジアル方向の傾角調整とタンジェンシャル方向の傾角調整の独立性が低い。このため、ラジアル方向の傾角調整とタンジェンシャル方向の傾角調整とを繰り返し行って、双方の傾角を調整する必要があるので、傾角の調整作業に手間がかかる。さらにまた、球座を利用すると、対物レンズの光軸の傾きを調整できても光軸をそれに直交する方向に移動させることができないため、高精度な光軸調整を行えない。
【０００５】
本発明の課題は、以上の問題を解消することにあり、ホルダ支持部材を薄型化でき、かつ、対物レンズの光軸の高精度な調整を容易に行うことのできる光ピックアップ装置を提案することにある。
【０００６】
【課題を解決するための手段】
上記の課題を解決するために、本発明では、対物レンズを保持するレンズホルダおよび該レンズホルダを支持するホルダ支持部材を備え、該ホルダ支持部材上で前記レンズホルダを前記対物レンズのフォーカシングエラー補正方向およびトラッキングエラー補正方向に磁気駆動する対物レンズ駆動装置と、前記ホルダ支持部材を支持するフレームと、該フレーム上で前記対物レンズの光軸位置を調整するための光軸調整機構とを有する光ピックアップ装置において、前記光軸調整機構は、前記フレームと前記ホルダ支持部材とを点接触させて該ホルダ支持部材を前記フレーム上で揺動可能とする支点と、該支点を中心に異なる２方向に前記ホルダ支持部材をそれぞれ揺動させて前記対物レンズの傾角を前記２方向の各々について調整するための２つの調整部材と、交点を構成するように前記ホルダ支持部材と前記フレームとを点接触させたまま該フレーム上で前記ホルダ支持部材をスライドさせるスライド機構とを有していることを特徴とする。
【０００７】
本発明を適用した光軸調整機構では、フレーム側とホルダ支持部材側とを概ね点接触状態とし、それを支点にしてホルダ支持部材をフレーム上で揺動させるため、球座を用いる構成と違って、支点をホルダ支持部材の側面等に構成することができる。従って、ホルダ支持部材の薄型化、すなわち光ピックアップ装置の薄型化を図ることができる。また、支点をホルダ支持部材の底面に構成する場合でも、球座を用いた構成と比較すれば、支点をホルダ支持部材の底面に構成したとしてもホルダ支持部材をかなり薄型化できる。さらに、ホルダ支持部材とフレームとは点接触であるため、その間にごみなどが入ることがなく、たとえホルダ支持部材とフレームと間にごみなどが入っても、ホルダ支持部材の傾角を調整する際に引っ掛かるなどの不具合が発生しない。それ故、微妙な傾角調整が可能である。さらにまた、ホルダ支持部材とフレームとは点接触であるため、ホルダ支持部材の揺動中心（揺動支点）が１ヵ所に特定されているため、揺動する方向を直交する方向に定めておけば、２方向の傾角調整をそれぞれ独立して行える。それ故、微妙な傾角調整を手間をかけずに行える。しかも、本発明を適用した光軸調整機構では、交点を構成するようにホルダ支持部材とフレームとを点接触させたままフレーム上でホルダ支持部材をスライドさせるスライド機構を有しているため、対物レンズの光軸をそれに直交する方向に移動させることもでき、高精度な光軸位置の調整を行うことができる。
【０００８】
また、本発明において、前記支点は、前記フレームの側から前記ホルダ支軸の軸線と平行な方向で前記ホルダ支持部材に向く板状部分の先端縁に形成された第１の凹部と、前記ホルダ支持部材の側から前記ホルダ支軸の軸線と平行な方向で前記フレームに向く板状部分の先端縁に対し、前記第１の凹部に嵌まるように形成された第２の凹部とから構成され、前記スライド機構は、前記第２の凹部および前記第１の凹部のうちの少なくとも一方の凹部が平坦な底部を備えていることにより前記フレーム上で前記ホルダ支持部材が前記底部に沿って前記光軸と直交する方向にスライド可能に構成されている。
【０００９】
また、前記スライド機構は、前記第２の凹部および前記第１の凹部の双方の凹部が平坦な底部を備えていることにより前記フレーム上で前記ホルダ支持部材が前記光軸に直交する２方向にスライド可能に構成されることが好ましい。
【００１０】
本発明において、前記傾角調整部材としては、たとえば、前記支点から異なる方向に位置する２箇所の各々に配置されて各配置位置における前記フレームと前記ホルダ支持部材との間隔を調整する第１の傾角調整用ビスおよび第２の傾角調整用ビスを利用することができる。
【００１１】
本発明において、前記第１の傾角調整用ビスおよび第２の傾角調整用ビスは、前記支点を中心に９０°の角度を成す方向に配置されていることが好ましい。このように構成した場合には、前記第１の傾角調整用ビスおよび第２の傾角調整用ビスのうちの一方のビスは、たとえば、前記対物レンズを介して情報の再生または記録が行われる円盤状の記録ディスクのラジアル方向において前記ホルダ支持部材を揺動させ、他方のビスは前記記録ディスクのトラック接線方向において前記ホルダ支持部材を揺動させるように配置される。
【００１２】
本発明において、前記支点は、前記フレームの側からみて前記対物レンズの主点と同じ高さ位置に構成されていることが好ましい。このように構成すると、ホルダ支持部材の傾角を調整しても、対物レンズの光学的な中心位置が変わらず、対物レンズの位置ずれを防止できる。
【００１３】
本発明において、前記支点は、前記対物レンズの近傍に構成されていることが好ましい。このように構成すると、ホルダ支持部材の傾角を調整した際に対物レンズの高さ位置が殆ど変化しないので、対物レンズの位置ずれを防止できる。しかも、ホルダ支持部材の傾角を調整した際に対物レンズの傾きが変化する度合いが小さいので、小刻みに傾角を調整できる。
【００１４】
【発明の実施の形態】
以下に、図面を参照して、本発明の光ピックアップ装置を説明する。
【００１５】
（全体構成）
図１は本発明の光ピックアップ装置の外観を示す平面図である。この図に示すように、光ピックアップ装置１は光記録ディスク５の記録、再生を行うものであり、ＣＤやＤＶＤなどの光記録ディスク５の記録面に対峙した状態に配置されるフレーム２と、フレーム２に取り付けられた光源ユニット３と、光源ユニット３が出射したレーザ光を光記録ディスク５に集光する対物レンズ４１と、この対物レンズ４１をそのフォーカシングエラー補正方向およびトラッキングエラー補正方向に駆動する対物レンズ駆動装置４とを有している。フレーム２には、光源ユニットおよび対物レンズ駆動装置４に給電するためのＦＰＣ基板６と、光源ユニット３および対物レンズ駆動装置４を保護するためにその上側を覆う薄い板状のカバー７、８が取り付けられている。また、フレーム２の外周部には２つのガイド孔２１と、コの字型に突き出したガイド部２２とが形成され、これらには光記録ディスク５の記録または再生に伴って光ピックアップ装置１を光記録ディスク５のラジアル方向（矢印Ａで示す方向）に移動させるためのガイド軸９、１０が通されている。
【００１６】
（対物レンズ駆動装置の構成）
図２は、光ピックアップ装置１の内部構造および対物レンズ駆動装置４の構造を説明するための分解斜視図である。図３は、図１におけるIII −III 線で切断した部分の概略断面図である。これらの図ではＦＰＣ基板６およびカバー７、８を省略してある。
【００１７】
これらの図に示すように、対物レンズ駆動装置４は、対物レンズ４１を保持したレンズホルダ４２と、このレンズホルダ４２を、後述するフォーカシングエラー補正方向およびトラッキングエラー補正方向に移動可能に支持したホルダ支持部材５７を有している。
【００１８】
レンズホルダ４２は、円筒状の胴部４３と、この胴部４３の内側中央部分に形成された円筒状の軸受け部４４を備えている。胴部４３の外周面における軸受け部４４を挟んで対峙する位置にはトラッキング駆動用コイル４５、４６が取り付けられている。軸受け部４４の外周面にはフォーカシング駆動用コイル４７が２箇所に構成されている。胴部４３の上端は天板４８（図３では省略してある。）で覆われ、そこに対物レンズ４１が取り付けられている。
【００１９】
ホルダ支持部材５７は長方形の底壁４９を備えており、底壁４９の中央には支軸５０が直立している。支軸５０はレンズホルダ４２の軸受け部４４の内側に差し込まれ、レンズホルダ４４をその軸線方向に摺動可能、およびその軸線周りに回転可能な状態に支持している。
【００２０】
底壁４９の外周縁ではレンズホルダ４４の外周面を覆う板状部分からなる４つの側壁５１〜５４が直立している。底壁４９の内側では、軸受け部４４を挟んで対峙するように２つの内壁５５、５６が側壁５１、５３と平行に切り起こされ、これらの内壁５５、５６はレンズホルダ４２の天板４８に形成された開口５８から突き出している。側壁５１、５３にはトラッキング用駆動コイル４５、４６と対峙するようにトラッキング用駆動マグネット５９、６０が取り付けられ、内壁５５、５６にはフォーカシング用駆動コイル４７に対峙するようにフォーカシング用駆動マグネット６１、６２が取り付けられている。
【００２１】
これらのマグネットのうち、フォーカシング用駆動マグネット６１、６２はフォーカシング用駆動コイル４７に対して単極に着磁された面を向けている。ホルダ支持部材５７の側壁５４とレンズホルダ４２の間に取り付けられたＦＰＣ基板６４を通してフォーカシング用駆動コイル４７に電流を流すとフォーカシング磁気回路が構成され、レンズホルダ４２を支軸５０の軸線方向に移動させることができる。従って、対物レンズ４１はその光軸方向に移動して、フォーカシングエラー補正を行うことができる。また、トラッキング用駆動マグネット５９、６０は、トラッキング用駆動コイル４５、４６に対して周方向に分極された面を向けており、ＦＰＣ基板６４を通してトラッキング用駆動コイル４５、４６に電流を流すとトラッキング磁気回路が構成され、レンズホルダ４２を支軸５０の回りに若干回転させることができる。従って、対物レンズ４２はその光軸と直交する方向に移動して、トラッキングエラー補正を行うことができる。
【００２２】
ホルダ支持部材５７としては、磁性体の板材をプレス加工した一体形成品が用いられ、底壁４９、側壁５１〜５４、および内壁５５、５６は、フォーカシング磁気回路およびトラッキング磁気回路のヨークとして作用している。
【００２３】
（フレームの構成）
一方、フレーム２は対物レンズ駆動装置４とほぼ同じ厚さで水平方向に延びる一体成形品であり、その内側は概ね、光源ユニット取付部２３と、対物レンズ駆動装置４の側壁５１〜５４の周りとわずかな隙間をあけて直立する枠部分で囲まれた駆動装置取付部２４とに分けられ、この駆動装置取付部２４の内側に対物レンズ駆動装置４が配置される。
【００２４】
光源ユニット３は、レーザ光源、回折格子、および受光素子を一体化した構成になっており、レーザ光Ｌを対物レンズ駆動装置４の取付部２４の側に向けて出射できる向きに配置されている。
【００２５】
駆動装置取付部２４の光源ユニット３と対峙した部分には、光源ユニット３に対して４５°の傾きをもつ斜面を向ける台座２５が構成され、この台座２５には全反射ミラー１１が取り付けられている。従って、光源ユニット３のレーザ光源から出射したレーザ光Ｌは全反射ミラー１１によって立ち上げられ、駆動装置取付部２４に取り付けられた対物レンズ駆動装置４の対物レンズ４１に入射し、光記録ディスク５の記録面に集光する。光記録ディスク５からの戻り光は再び同じ経路をたどり、光源ユニット３の受光素子に照射され、その戻り光に基づいて光記録ディスク５の再生を行う。また、受光素子では戻り光に含まれたトラッキングエラー信号およびフォーカシングエラー信号も検出し、対物レンズ駆動装置４はその信号に基づいて、対物レンズ４１をトラッキングエラー補正方向およびフォーカシングエラー補正方向に駆動する。
【００２６】
（光軸調整機構の構成）
このように構成した光ピックアップ装置１には、図２に示すように、組み立て時に対物レンズ４１の傾角や位置を調整するための光軸調整機構１００が構成され、この光軸調整機構１００の構成を以下に説明する。
【００２７】
まず、フレーム２の側では、台座２５の付近において光軸Ｌを挟む両側位置に、ホルダ支持部材５７に向かってホルダ支軸５０の軸線と平行な方向（対物レンズ４１の光軸と平行な方向）に起立する２つの薄い板状部分２６が構成され、これらの板状部分２６は光記録ディスク５のトラック接線方向（タンジェンシャル方向／矢印Ｂで示す方向）に延びている。これらの板状部２６のうち、一方の板状部２６では段差２６１を構成するように１段高い板状部分２７（後述する支点を構成するための板状部分）が構成されている。この板状部２７の上縁には第１の凹部２８が形成されている。ここで、凹部２８は平坦な下底３３（スライド機構）を備える略台形状を呈している。
【００２８】
また、フレーム２の駆動装置取付部２４を構成している枠状部分のうち、凹部２８から光記録ディスク５のラジアル方向（矢印Ａで示す方向）に水平に延ばした線２９と交差する一方の部分、および凹部２８から光記録ディスク５のタンジェンシャル方向（矢印Ｂで示す方向）に水平に延ばした線３０と交差する一方の部分には、フレーム２を厚さ方向に貫通する大きめの孔３１、３２が形成されている。この孔３１、３２が開口する枠部分の上面は水平面であり、凹部２８とほぼ同じ高さ位置に設定されている。
【００２９】
一方、ホルダ支持部材５７の側において、対物レンズ４１の近傍で光記録ディスク５のラジアル方向（矢印Ａで示す方向）に延び、かつ、ホルダ支軸５０の軸線と平行な方向（対物レンズ４１の光軸と平行な方向）に延びる鉛直な側壁５２（板状部分）には、その下半部分から底壁４９にかけて、フレーム２に形成された台座２５が位置する窓開け部分６３となっている。ここで、側壁５２の下縁部分は対物レンズ４１の主点とほぼ同じ高さ位置にある。また、側壁５２の下縁部分には、ホルダ支持部材５７をフレーム２の駆動装置取付部２４の内側に配置したときにフレーム２の板状部分２７の上端縁に形成した凹部２８に嵌まる第２の凹部６５が形成されている。この凹部６５は、平坦な上底７１（スライド機構）を備える略台形状を呈している。
【００３０】
また、側壁５２に隣り合う側壁５３の方には、その上縁から外側に向けて水平に折れ曲がった鍔部６７が形成され、そこには、ホルダ支持部材５７をフレーム２の駆動装置取付部２４の内側に配置したときにフレーム２の孔３１と重なるビス孔６８が形成されている。また、側壁５２と対向する側壁５４にも、上縁から外側に向けて水平に折れ曲がった鍔部６９が形成され、そこには、ホルダ支持部材５７をフレーム２の駆動装置取付部２４に配置したときにフレーム２の孔３２と重なるビス孔７０が形成されている。
【００３１】
このように構成した対物レンズ駆動装置４とフレーム２とを用いて光ピックアップ装置１を組み立てるときには、対物レンズ駆動装置４をフレーム２の駆動装置取付部２４に嵌め込む。その結果、フレーム２の板状部分２７と対物レンズ駆動装置４の側壁５２とが直角に交差し、板状部分２７の凹部２８に側壁５２の凹部６５が嵌まる。また、フレーム２の孔３１、３２に対しては、ホルダ支持部材５７に形成されたビス孔６８、７０が重なる。
【００３２】
ここで、フレーム２に形成された孔３１、３２には上面側および下面側に座ぐりが形成されているため、上面側の座ぐり部分の内側にコイルばね１３、１４をそれぞれ収納し、かつ、フレーム２の下面側から孔３１、３２のそれぞれに対して第１および第２の傾角調整用ビス１５、１６を差し込んで、これらのビスをビス孔６８、７０に止める。その結果、コイルばね１３、１４が圧縮された状態で、対物レンズ駆動装置４とフレーム２は、各ねじ止め部分（２つの傾角調整点）において所定の隙間を隔てた状態で固定される。さらに、ホルダ支持部材５７とフレーム２とを挟むように断面コの字状の板ばね１２が装着され、ホルダ支持部材５７はフレーム２の方に押し付けられるように固定される。
【００３３】
この状態で板ばね１２は弾性変形可能であるため、第１および第２の傾角調整用ビス１５、１６を廻せば、それに相当する分だけ、ホルダ支持部材５７は、板状部分２７の凹部２８と側壁５２の凹部６５との重なり部分を支点１７にして揺動可能である。ここで、第１および第２の傾角調整用ビス１５、１６のねじ止め位置は、支点１７から９０°を成す角度位置にあるため、光記録ディスク５のラジアル方向およびトラック接線方向の各々についてホルダ支持部材５７を揺動させることが可能である。
【００３４】
（光軸調整機構の動作）
本形態では、このような機構を利用して光ピックアップ装置１の製造工程でホルダ支持部材５７の傾角（対物レンズ４１の傾角）が調整され、併せて、ホルダ支持部材５７の横方向における位置（対物レンズ４１の光軸位置）が調整される。この様子を図４ないし図６を参照して詳述する。
【００３５】
図４は、ホルダ支持部材５７の傾角を調整する際にその揺動支点１７となるフレーム２の凹部２８と対物レンズ駆動装置４の凹部６５との重なり部分を拡大した斜視図、図５は、図１に示すＶ−Ｖ線で切断した部分の断面図、図６は、図１に示すVI−VI線で切断した部分の断面図である。
【００３６】
図４および図５に示すように、ホルダ支持部材５７の側壁５２は、凹部２８、６５を介してフレーム２の板状部分２７に対して直角に交差するように跨がった状態にあるため、ホルダ支持部材５７は凹部２８、６５の重なり部分を支点１７にして矢印Ｃ、Ｄの双方向に揺動可能である。しかも、ホルダ支持部材５７はフレーム２に対して板ばね１２で押さえつけられているだけであるため、第１の傾角調整用ビス１５を締める方向に廻せば、この部分でホルダ支持部材５７はフレーム２の側に引き寄せられ、その分だけ、矢印Ｄに示すように、タンジェンシャル方向（矢印Ｂで示す方向）に延びる軸線（支点１７と第２の傾角調整用ビス１６のねじ止め位置とを結ぶ線）周りに回転するように支点１７を中心に傾く。逆に、第１の傾角調整用ビス１５を緩める方向に廻せば、この部分でホルダ支持部材５７は、コイルばね１３に押されてフレーム２の側から離れ、その分だけ、矢印Ｃに示すように、支点１７を中心に傾く。従って、対物レンズ４１はラジアル方向（矢印Ａで示す方向）の傾角調整がなされる。この間のホルダ支持部材５７の揺動は、凹部２８、６５を利用した概ね点接触状態の支点１７を中心に起こるため、タンジェンシャル方向（矢印Ｂで示す方向）での傾きは変わらない。
【００３７】
しかも、ホルダ支持部材５７の凹部６５は、平坦な上底７１を備える略台形状を呈しているため、ホルダ支持部材５７とフレーム２とを点接触状態のまま、フレーム２上でホルダ支持部材５７を上底７１の長さ分だけはラジアル方向（矢印Ａで示す方向）にスライドさせることができる。それ故、ホルダ支持部材５７のラジアル方向（横方向）の位置を調整することができる。
【００３８】
また、図４および図６に示すように、ホルダ支持部材５７の側壁５２は、凹部２８、６５を介してフレーム２の板状部分２７に対して直角に交差するように跨がった状態にあるため、ホルダ支持部材５７は凹部２８、６５の重なり部分を支点１７にして矢印Ｅ、Ｆの双方向にも揺動可能である。しかも、ホルダ支持部材５７はフレーム２に対して板ばね１２で押さえつけられているだけであるため、第２の傾角調整用ビス１６を締める方向に廻せば、この部分でホルダ支持部材５７はフレーム２の側に引き寄せられ、その分だけ、矢印Ｆに示すように、ラジアル方向（矢印Ａで示す方向）に延びる軸線（支点１７と第１の傾角調整用ビス１５のねじ止め位置とを結ぶ線）周りに回転するように支点１７を中心に傾く。逆に、第２の傾角調整用ビス１６を緩める方向に廻せば、この部分でホルダ支持部材５７は、コイルばね１４に押されてフレーム２の側から離れ、その分だけ、矢印Ｅに示すように、支点１７を中心に傾く。従って、対物レンズ４１はタンジェンシャル方向（矢印Ｂで示す方向）の傾角調整がなされる。この間のホルダ支持部材５７の揺動も、凹部２８、６５を利用した概ね点接触状態の支点１７を中心に起こるため、ラジアル方向（矢印Ａで示す方向）での傾きは変わらない。すなわち、ラジアル方向（矢印Ａで示す方向）とタンジェンシャル方向（矢印Ｂで示す方向）の傾角調整を独立してできるので、これらの調整を交互に繰り返す必要がなく、対物レンズ４１の傾角調整を簡単にできる。
【００３９】
しかも、フレーム２の凹部２８は、平坦な下底３３を備える略台形状を呈しているため、ホルダ支持部材５７とフレーム２とを点接触状態のまま、フレーム２上でホルダ支持部材５７を下底３３の長さ分だけはタンジェンシャル方向（矢印Ｂで示す方向）にスライドさせることができる。それ故、ホルダ支持部材５７のタンジェンシャル方向（横方向）の位置を調整することができる。
【００４０】
このようにして対物レンズ４１の傾角調整が終了した後は、図１に示すように、接着剤１９で対物レンズ駆動装置４をフレーム２に固定する。
【００４１】
以上説明したように、本例の光ピックアップ装置１に構成した光軸調整機構１００では、フレーム２とホルダ支持部材５７とを点接触させてホルダ支持部材５７をフレーム２上で揺動させるため、球座を用いる構成と違って、支点１７をホルダ支持部材５７の側面等に構成することができる。従って、ホルダ支持部材５７の薄型化、すなわち光ピックアップ装置１の薄型化を図ることができる。また、ホルダ支持部材５７とフレーム２とは点接触であるため、これらの間にごみが入ることがなく、たとえ、ホルダ支持部材５７とフレーム２との間にごみが入っても引っ掛かりなどが発生しないので、微妙な傾角調整が可能である。さらにまた、ホルダ支持部材５７とフレーム２とは点接触であるため、ホルダ支持部材５７の揺動中心（揺動支点）が特定されているため、揺動する方向を直交する方向に定めておけば、２方向の傾角調整をそれぞれ独立して行える。それ故、微妙な傾角調整を手間をかけずに行える。しかも、光軸調整機構１００では、交点１７を構成するようにホルダ支持部材５７とフレーム２とを点接触させたままフレーム２上でホルダ支持部材５７をスライドさせることができるため、対物レンズ４１の光軸をそれに直交する方向に移動させることもでき、高精度な光軸位置の調整を行うことができる。
【００４２】
また、支点１７は、フレーム２の側からみて対物レンズ４１の主点と同じ高さ位置に構成されているため、ホルダ支持部材５７の傾角を調整しても、対物レンズ４１の光学的な中心位置が変わらないので、対物レンズ４１の位置ずれを防止できる。さらに、支点１７は、対物レンズ４１の近傍に構成されているため、ホルダ支持部材５７の傾角を調整した際に対物レンズ４１の高さ位置が殆ど変化しないので、対物レンズ４１の位置ずれを防止できる。しかも、ホルダ支持部材５７の傾角を調整した際に対物レンズ４１の傾きが変化する度合いが小さいので、小刻みに傾角を調整でき、微妙な傾角調整も容易に行える。
【００４３】
（その他の実施の形態）
なお、上記の形態では、フレーム２上でホルダ支持部材５７をラジアル方向およびタンジェンシャル方向のいずれの方向にもスライド可能に構成したが、フレーム２の凹部２８およびホルダ支持部材５７の凹部６５のいずれか一方のみに平坦部分な底（スライド機構）を設け、フレーム２上でホルダ支持部材５７をラジアル方向またはタンジェンシャル方向の一方のみにスライド可能に構成してもよい。
【００４４】
【発明の効果】
以上に説明したように、本発明の光ピックアップ装置に構成した光軸調整機構では、フレームの側とホルダ支持部材の側とを点接触させてホルダ支持部材をフレーム上で揺動させるため、球座を用いる構成と違って、支点をホルダ支持部材の側面等に構成することができる。従って、ホルダ支持部材の薄型化、すなわち光ピックアップ装置の薄型化を図ることができる。また、ホルダ支持部材とフレームとは点接触であるため、これらの間にごみが入ることがなく、たとえ、ホルダ支持部材とフレームとの間にごみが入っても引っ掛かりなどが発生しないので、微妙な傾角調整が可能である。さらにまた、ホルダ支持部材とフレームとは点接触であるため、ホルダ支持部材の揺動中心が特定されているため、揺動する方向を直交する方向に定めておけば、２方向の傾角調整をそれぞれ独立して行える。それ故、微妙な傾角調整を手間をかけずに行える。しかも、ホルダ支持部材とフレームとを点接触させたままフレーム上でホルダ支持部材をスライドさせるスライド機構を有しているため、対物レンズの光軸をそれに直交する方向に移動させることもでき、高精度な光軸位置の調整を行うことができる。
【図面の簡単な説明】
【図１】本発明の光ピックアップ装置の外観を示す平面図である。
【図２】図１に示す装置の構造を説明するための分解斜視図である。
【図３】図１におけるIII −III 線で切断した部分の断面図である。
【図４】図１に示す装置において傾角調整時の揺動支点となる部分を拡大して示す斜視図である。
【図５】図１におけるＶ−Ｖ線で切断した部分の断面図である。
【図６】図１におけるVI−VI線で切断した部分の断面図である。
【符号の説明】
１  光ピックアップ装置
２  フレーム
３  光源ユニット
４  対物レンズ駆動装置
５  光記録ディスク
１２  板ばね
１５  第１の傾角調整用ビス
１６  第２の傾角調整用ビス
１７  支点
２７  フレーム側の板状部分
２８  フレーム側の凹部
２９  支点と第１の傾角調整用ビスのねじ止め位置とを結ぶ線
３０  支点と第２の傾角調整用ビスのねじ止め位置とを結ぶ線
３３  フレーム側の凹部の下底
４１  対物レンズ
４２  レンズホルダ
４５、４６  トラッキング用駆動コイル
４７  フォーカシング用駆動コイル
５７  ホルダ支持部材
５９、６０  トラッキング用駆動マグネット
６１、６２  フォーカシング用駆動マグネット
６５  ホルダ支持部材の側の凹部
７１  ホルダ支持部材の側の凹部の上底
１００  光軸調整機構
Ｌ  レーザ光
【図１】
0003749596.tif 000002
【図２】
0003749596.tif 000003
【図３】
0003749596.tif 000004
【図４】
0003749596.tif 000005
【図５】
0003749596.tif 000006
【図６】
0003749596.tif 000007